【手続補正書】
【提出日】平成26年11月14日(2014.11.14)
【手続補正１】
【補正対象書類名】特許請求の範囲
【補正対象項目名】全文
【補正方法】変更
【補正の内容】
【特許請求の範囲】
【請求項１】
座標入力有効領域に対する指示位置を検出する座標入力装置であって、
投光手段と受光手段とを備えるセンサユニットを少なくとも２つ備える第１の筺体と、
投光手段と受光手段とを備えるセンサユニットを少なくとも２つ備える第２の筺体と、
前記第１の筺体が備える前記投光手段が投光した光を再帰的に反射する反射手段と、
前記第２の筺体が備える前記投光手段が投光した光を再帰的に反射する反射手段と、
前記第１の筺体と前記第２の筺体それぞれの前記受光手段から得られる光量分布に基づいて前記座標入力有効領域の前記指示位置を計算する計算手段とを有し、
前記第１の筺体と前記第２の筺体それぞれにおいて、
前記投光手段は、前記座標入力有効領域に対して平行に向けて投光し、
前記受光手段は、他方の筺体が備える前記投光手段、あるいは、同一の筺体が備える前記投光手段が投光した光を再帰に反射する前記反射手段からの光を受光し、
前記受光手段の視野範囲は、前記座標入力有効領域に対して略平行であり
前記受光手段の光軸方向は、同一の筺体が備える前記少なくとも２つのセンサユニットの受光光学系の光軸中心を結ぶ線分と垂直となる方向であり、
前記視野範囲は、前記光軸方向に対して非対称である
ことを特徴とする座標入力装置。
【請求項２】
前記第１の筺体と前記第２の筺体それぞれにおいて、
前記受光手段の前記光軸方向は、該受光手段を構成する光電変換素子の受光面の法線方向と一致している
ことを特徴とする請求項１に記載の座標入力装置。
【請求項３】
前記第１の筺体と前記第２の筺体それぞれは、内蔵する前記少なくとも２つのセンサユニットの受光光学系の光軸中心を結ぶ線分方向に伸縮する伸縮部を有する
ことを特徴とする請求項１または２に記載の座標入力装置。
【請求項４】
前記光電変換素子を実装する回路基板の実装面が、前記座標入力有効領域に対して略垂直である
ことを特徴とする請求項２に記載の座標入力装置。
【請求項５】
前記第１の筺体と前記第２の筺体にはそれぞれ、互いの前記センサユニットの前記投光手段からの光を再帰反射するように前記反射手段が設けられている
ことを特徴とする請求項１乃至４のいずれか１項に記載の座標入力装置。
【請求項６】
前記第１の筺体と前記第２の筺体は、前記座標入力有効領域を構成する矩形状の領域の対向する２辺に配置されている
ことを特徴とする請求項１乃至５のいずれか１項に記載の座標入力装置。
【請求項７】
前記第１の筺体と前記第２の筺体それぞれが内蔵する前記センサユニット間の相対的な位置情報を検出する検出手段を更に有する
ことを特徴とする請求項１乃至６のいずれか１項に記載の座標入力装置。
【請求項８】
当該座標入力装置の前記座標入力有効領域における第１の座標系と、該座標入力有効領域に設定される表示装置からの投影画像である表示領域における第２の座標系との相関をとるキャリブレーションを実行するキャリブレーション手段を更に有する
ことを特徴とする請求項１乃至７のいずれか１項に記載の座標入力装置。
【請求項９】
座標入力有効領域に対する指示位置を検出する座標入力装置であって、
投光手段と受光手段とを備えるセンサユニットを少なくとも２つ備える第１の筺体と、
投光手段と受光手段とを備えるセンサユニットを少なくとも２つ備える第２の筺体と、
前記第１の筺体が備える前記投光手段が投光した光を再帰的に反射する反射手段と、
前記第２の筺体が備える前記投光手段が投光した光を再帰的に反射する反射手段と、
前記第１の筺体と前記第２の筺体それぞれの前記受光手段から得られる光量分布に基づいて前記座標入力有効領域の前記指示位置を計算する計算手段とを有し、
前記第１の筺体と前記第２の筺体それぞれにおいて、
前記投光手段は、前記座標入力有効領域に対して平行に向けて投光し、
前記受光手段は、他方の筺体が備える前記投光手段、あるいは、同一の筺体が備える前記投光手段が投光した光を再帰に反射する前記反射手段からの光を受光し、
前記受光手段の視野範囲は、前記座標入力有効領域に対して略平行であり
前記受光手段の光軸方向は、同一の筺体が備える前記少なくとも２つのセンサユニットの重心を結ぶ線分と垂直となる方向であり、
前記視野範囲は、前記光軸方向に対して非対称である
ことを特徴とする座標入力装置。
【請求項１０】
前記第１の筺体と前記第２の筺体それぞれが内蔵する前記センサユニット間の相対的な位置情報を検出する検出手段を更に有する
ことを特徴とする請求項９に記載の座標入力装置。
【請求項１１】
座標入力有効領域に対する指示位置を検出する座標入力装置であって、
投光手段と、受光手段と、反射手段とを備えるセンサユニットを少なくとも２つ備える第１の筺体と、
投光手段と、受光手段と、反射手段とを備えるセンサユニットを少なくとも２つ備える第２の筺体と、
前記第１の筺体と前記第２の筺体それぞれの前記受光手段から得られる光量分布に基づいて前記座標入力有効領域の前記指示位置を計算する計算手段とを有し、
前記第１の筺体と前記第２の筺体それぞれにおいて、
前記投光手段は、前記座標入力有効領域に対して平行に向けて投光し、
前記反射手段は、他方の筺体が備える前記投光手段が投光した光を再帰的に反射し、
前記受光手段は、他方の筺体が備える前記投光手段あるいは前記反射手段からの光を受光し、
前記受光手段の視野範囲は、前記座標入力有効領域に対して略平行であり
前記受光手段の光軸方向は、同一の筺体内の前記少なくとも２つのセンサユニットの受光光学系の光軸中心を結ぶ線分と垂直となる方向であり、
前記第１及び前記第２の筺体が備える受光手段の前記視野範囲は、対向して配置される前記第１の筺体と前記第２の筺体により構成される矩形状の前記座標入力有効領域をカバーする
ことを特徴とする座標入力装置。
【請求項１２】
前記第１の筺体と前記第２の筺体それぞれが内蔵する前記センサユニット間の相対的な位置情報を検出する検出手段を更に有する
ことを特徴とする請求項１１に記載の座標入力装置。
【手続補正２】
【補正対象書類名】明細書
【補正対象項目名】００２３
【補正方法】変更
【補正の内容】
【００２３】
本発明は上記の課題を解決するためになされたものであり、小型の座標入力装置を提供することを目的とする。
【手続補正３】
【補正対象書類名】明細書
【補正対象項目名】００２４
【補正方法】変更
【補正の内容】
【００２４】
上記の目的を達成するための本発明による座標入力装置は以下の構成を備える。即ち、
座標入力有効領域に対する指示位置を検出する座標入力装置であって、
投光手段と受光手段とを備えるセンサユニットを少なくとも２つ備える第１の筺体と、
投光手段と受光手段とを備えるセンサユニットを少なくとも２つ備える第２の筺体と、
前記第１の筺体が備える前記投光手段が投光した光を再帰的に反射する反射手段と、
前記第２の筺体が備える前記投光手段が投光した光を再帰的に反射する反射手段と、
前記第１の筺体と前記第２の筺体それぞれの前記受光手段から得られる光量分布に基づいて前記座標入力有効領域の前記指示位置を計算する計算手段とを有し、
前記第１の筺体と前記第２の筺体それぞれにおいて、
前記投光手段は、前記座標入力有効領域に対して平行に向けて投光し、
前記受光手段は、他方の筺体が備える前記投光手段、あるいは、同一の筺体が備える前記投光手段が投光した光を再帰に反射する前記反射手段からの光を受光し、
前記受光手段の視野範囲は、前記座標入力有効領域に対して略平行であり
前記受光手段の光軸方向は、同一の筺体が備える前記少なくとも２つのセンサユニットの受光光学系の光軸中心を結ぶ線分と垂直となる方向であり、
前記視野範囲は、前記光軸方向に対して非対称である。
【手続補正４】
【補正対象書類名】明細書
【補正対象項目名】００２５
【補正方法】変更
【補正の内容】
【００２５】
以上の構成からなる本発明によれば、小型の座標入力装置を提供できる。